(57)【要約】【課題】キーと錠との通信により、錠をスタンドアローンで使用することができる施錠装置、錠管理方法、施錠方法、ロッカー及び錠管理プログラムを提供する。【解決手段】本発明の施錠装置１０は、キー固有ＩＤ番号、錠番号及び錠開閉フラグを記憶するキーメモリ部８０と、キー固有ＩＤ番号及び錠開閉フラグを送信し、錠番号を受信するキー送受信部９０とからなるキー７０と、錠の開閉を行う錠ロック機構６０と、キー固有ＩＤ番号及び錠番号を記憶する錠メモリ部３０と、キーから送信されるキー固有ＩＤ番号及び錠開閉フラグを受信する錠送受信部４０と、錠の開閉を管理する錠管理部５０とを備えた錠２０とを備える。【選択図】図１
2007226749.tif 000002
【特許請求の範囲】
【請求項１】
錠の施錠又は解錠の状態を示す錠開閉フラグを含む管理情報を記憶するキーメモリ部と、前記管理情報を送受信するキー送受信部とを備えたキーと、
前記キー送受信部との間で前記管理情報を送受信する錠送受信部と、錠の開閉を行う錠ロック機構と、
前記錠送受信部がキー送受信部から受信した前記キーメモリ部に記憶された錠開閉フラグが開状態の場合であって、前記錠ロック機構が施錠されていない場合に前記錠ロック機構に施錠可能状態となるよう指示する錠管理部とを備えた錠と
からなる施錠装置。
【請求項２】
前記管理情報には、それぞれのキーに一意に割り当てられたキー固有ＩＤ番号を含み、
前記錠ロック機構の施錠が行われた場合に、前記錠管理部が、前記キー固有ＩＤ番号を前記錠メモリ部に記憶させる
請求項1記載の施錠装置。
【請求項３】
前記錠ロック機構の施錠が行われた場合に、前記錠管理部が、前記キーメモリ部に記憶されていた錠開閉フラグを閉状態に書き換えるよう指示する請求項２記載の施錠装置。
【請求項４】
前記管理情報には、それぞれの錠に一意に割り当てられた錠番号を含み、錠の錠ロック機構の施錠が行われた場合に、前記錠管理部が前記キーメモリ部に当該錠の錠番号を書き込むよう指示する請求項２又は請求項３記載の施錠装置。
【請求項５】
前記錠管理部に、
前記錠ロック機構が施錠された後に前記錠送受信部が前記キーメモリ部に格納されているキー固有ＩＤ番号を受信した場合に、前記錠送受信部が受信したキー固有ＩＤ番号と前記錠記憶部に記憶されたキー固有ＩＤ番号とを比較する比較手段と、
前記比較手段によりキー固有番号が一致すると判断した場合に、前記錠ロック機構に、解錠可能状態となるよう指示する解施錠指示手段と
を備えた請求項２から請求項４記載の施錠装置。
【請求項６】
前記錠管理部に、
前記錠ロック機構が施錠された後に前記錠送受信部が前記キーメモリ部に格納されているキー固有ＩＤ番号を受信した場合に、前記錠送受信部が受信したキー固有ＩＤ番号と前記錠記憶部に記憶されたキー固有ＩＤ番号とを比較する比較手段と、
前記比較手段によりキー固有番号が一致すると判断した場合に、前記錠ロック機構に解錠可能状態となるよう指示する解施錠指示手段とを備え、
前記解施錠指示手段により前記錠ロック機構が解錠可能状態となり、錠の解錠が行われた場合に、前記錠管理部が前記キーメモリ部に書き込まれた当該錠の錠番号を消去せずに記憶したままにしておく請求項２から請求項４記載の施錠装置。
【請求項７】
錠の施錠又は解錠の状態を示す錠開閉フラグを含む管理情報を送受信するキーとの通信によって施錠又は解錠状態が管理されるロッカーであって、
前記管理情報を送受信する錠送受信部と、
錠の開閉を行う錠ロック機構と、
前記錠送受信部が受信した錠開閉フラグが開状態の場合であって、前記錠ロック機構が施錠されていない場合に前記錠ロック機構に施錠可能状態となるよう指示する錠管理部と
を備えたロッカー。
【請求項８】
前記管理情報には、それぞれのキーに一意に割り当てられたキー固有ＩＤ番号を含み、
前記錠管理部に、
前記錠ロック機構の施錠が行われた場合に、前記キー固有ＩＤ番号を前記錠メモリ部に書き込む指示を発するメモリ指示手段を備えた
請求項７記載のロッカー。
【請求項９】
前記錠管理部に、
前記錠ロック機構の施錠が行われた場合に、前記メモリ指示手段が、前記キーメモリ部に記憶されていた錠開閉フラグを閉状態に書き換える指示を発する
請求項８記載のロッカー。
【請求項１０】
前記管理情報には、それぞれの錠に一意に割り当てられた錠番号を含み、
錠の錠ロック機構の施錠が行われた場合に、前記メモリ指示手段が前記キーメモリ部に当該錠の錠番号を書き込む指示を発する請求項８又は請求項９記載のロッカー。
【請求項１１】
前記錠ロック機構が施錠された後に前記錠送受信部がキー固有ＩＤ番号を受信した場合に、前記錠送受信部が受信したキー固有ＩＤ番号と前記錠記憶部に記憶されたキー固有ＩＤ番号とを比較する比較手段と、
前記比較手段によりキー固有番号が一致すると判断した場合に、前記錠ロック機構に、解錠可能状態となるよう指示する解施錠指示手段と
を備えた請求項８から請求項１０記載のロッカー。
【請求項１２】
前記錠ロック機構が施錠された後に前記錠送受信部がキー固有ＩＤ番号を受信した場合に、前記錠送受信部が受信したキー固有ＩＤ番号と前記錠記憶部に記憶されたキー固有ＩＤ番号とを比較する比較手段と、
前記比較手段によりキー固有番号が一致すると判断した場合に、前記錠ロック機構に、解錠可能状態となるよう指示する解施錠指示手段とを備え、
前記解施錠指示手段により前記錠ロック機構が解錠可能状態となり、錠の解錠が行われた場合に、前記メモリ指示手段が前記キーメモリ部に書き込まれた錠番号を消去せずに記憶させたままにしておく指示を発する請求項１１記載のロッカー。
【請求項１３】
錠と通信を行うキーと、前記キーとの通信結果に基づいて施錠又は解錠が行われる複数の錠とからなる施錠装置における錠管理方法であって、
前記キーに記憶された錠開閉フラグを、前記キーから前記錠のうちの特定の錠に送信し、前記特定の錠が受信する施錠情報受信ステップと、
前記施錠情報受信ステップにより前記特定の錠が受信した錠開閉フラグが「開」である場合に前記特定の錠が施錠可能か否かを判断する施錠判断ステップと、
前記施錠判断ステップにより施錠可能であると判断された場合には、前記特定の錠を施錠可能状態にする施錠処理ステップと、
前記施錠処理ステップにより前記特定の錠が施錠可能状態となり、その状態で、前記特定の錠が施錠された場合には、前記キーに記憶されている錠開閉フラグを「開」から「閉」に書き換える施錠時キー書換ステップと
からなる錠管理方法。
【請求項１４】
前記施錠情報受信ステップは、錠がキー固有ID番号をも受信するものであり、
さらに、前記施錠処理ステップにより前記特定の錠が施錠可能状態となり、その状態で、前記特定の錠が施錠された場合には、前記施錠情報受信ステップにより受信した前記キー固有ID番号を前記特定の錠に書き込む施錠時錠書換ステップを含む、請求項１３記載の錠管理方法。
【請求項１５】
前記施錠時キー書換ステップは、さらに、前記キーに当該特定の錠の錠番号を書き込むステップを含む
請求項１４記載の錠管理方法。
【請求項１６】
請求項１４又は請求項１５に記載された錠管理方法により施錠された施錠装置の錠の解錠方法であって、
前記キーに記憶されたキー固有ID番号及び錠開閉フラグを、前記キーから前記錠のうちの特定の錠に送信した場合に前記特定の錠が受信する解錠情報受信ステップと、
前記解錠情報受信ステップにより、前記特定の錠が受信したキー固有ID番号と前記特定の錠に記憶されているキー固有ID番号とが一致しているかを判断する解錠判断ステップと、
前記解錠判断ステップにより判断された結果に基づいて、キー固有ＩＤ番号が一致している場合には、前記特定の錠を解錠する解錠処理ステップと、
前記解錠処理ステップにより前記特定の錠が解錠された場合には、前記キーに記憶されている錠開閉フラグを「閉」から「開」に書き換える解錠時キー書換ステップと、
前記解錠処理ステップにより前記特定の錠が解錠された場合には、前記特定の錠に記憶されているキー固有ID番号を消去する解錠時錠書換ステップとを含む、解錠方法。
【請求項１７】
請求項１５に記載された錠管理方法により施錠された施錠装置の錠の解錠方法であって、
前記キーに記憶されたキー固有ID番号及び錠開閉フラグを、前記キーから前記錠のうちの特定の錠に送信した場合に前記特定の錠が受信する解錠情報受信ステップと、
前記解錠情報受信ステップにより、前記特定の錠が受信したキー固有ID番号と前記特定の錠に記憶されているキー固有ID番号とが一致しているかを判断する解錠判断ステップと、
前記解錠判断ステップにより判断された結果に基づいて、キー固有ＩＤ番号が一致している場合には、前記特定の錠を解錠する解錠処理ステップと、
前記解錠処理ステップにより前記特定の錠が解錠された場合には、前記キーに記憶されている錠開閉フラグを「閉」から「開」に書き換える解錠時キー書換ステップと、
前記解錠処理ステップにより前記特定の錠が解錠された場合には、前記特定の錠に記憶されているキー固有ID番号を消去する解錠時錠書換ステップとを含み、
前記解錠時キー書換ステップは、さらに、前記キーに書き込まれた当該特定の錠の錠番号を消去せずに、記憶させたままにしておくステップを含む、解錠方法。
【請求項１８】
請求項１３から請求項１７記載の方法をコンピュータに実行させるプログラム。
【発明の詳細な説明】
【技術分野】
【０００１】
本発明は、スポーツセンター等の不特定多数の者が利用する施設のロッカー等の利用を管理する施錠装置、ロッカー、錠管理方法、解錠方法及び錠管理プログラムに関し、特に、ロッカー等の利用に際してスタンドアローンで管理しうるものに関する。
【背景技術】
【０００２】
近年スポーツセンター等の不特定多数の者が利用する施設が急増しており、また、その利用者数も増加している。
【０００３】
このような施設では、利用者が施設利用中に荷物を入れておくロッカーは、快適かつ簡易に利用及び管理ができる錠管理方法を採用している。
【０００４】
このようなロッカーを管理するシステムの中には、無線電波を送受信できるＩＣタグ付ロッカーキーを用いて、施設のロッカーの施錠及び解錠を行い、また、利用者の施設内での利用状況を記録する等を行っているものがある（例えば、特許文献１（特開２００３−３４６２４１公報）参照）。
【０００５】
特許文献１記載の発明は、スポーツ施設等において、利用者は先ず靴箱に自分の靴を入れて施錠をし、靴箱のキーを受付に提出して、ＩＣタグ付ロッカーキーと交換をし、任意のロッカーを利用し、施設利用後は、受付でＩＣタグ付ロッカーキーを返却して、靴箱のキーを受け取り、退館するというものである。
【０００６】
特許文献１記載の発明によれば、施設利用者の利用状況が記録でき、ロッカーの使用状況を一元的に集中管理することも可能になるため、施設利用者の現時点での収容可能人数などもすぐに把握することが可能になる。
【０００７】
また、同じく無線電波を送受信できるＩＣタグ付キーを用いて、施設利用者の利用状況を正確に把握や、確実な精算処理等を行っているものがある（例えば、特許文献２（特開２００５−２４８５４５公報）参照）。
【０００８】
特許文献２記載の発明は、利用者は先ず受付でＩＣタグ付キーを受け取った後、任意の靴箱に靴を入れ、任意のロッカーを利用し、施設利用後は、靴箱から靴を取り出し、受付にＩＣタグ付キーを返却し、退館するというものである。
このようにして、特許文献２記載の発明によれば、施設利用者の利用人数及び利用状況を正確に把握し、確実に精算処理を行うことが可能になる。
【特許文献１】特開２００３−３４６２４１公報
【特許文献２】特開２００５−２４８５４５公報
【発明の開示】
【発明が解決しようとする課題】
【０００９】
しかしながら、特許文献１や特許文献２に記載された従来の錠管理方法では、ＩＣタグ付ロッカーキーや、複数のロッカーを通信回線で接続し、ＩＣタグ内のデータや、ロッカーで記憶された各種情報を一元的に集中管理することが必要となり、システムが大がかりになってしまう。
【００１０】
また、比較的小規模な施設でロッカー数が少ないような施設の場合には、大がかりなシステムよりは簡易なシステムが望まれるところであり、ロッカー等の錠が集中管理されたシステムではなく、各錠がそれぞれ単独で錠の開閉を管理するような、スタンドアローンで管理可能な施錠装置やそれを用いたロッカーが望まれていた。
【００１１】
そこで、本発明の目的は、通信回線を通じて集中管理された錠ではなく、各錠ごとに錠の開閉を管理できるような、スタンドアローンで管理可能な施錠装置、ロッカー、錠管理方法、解錠方法及び錠管理プログラムを提供することである。
【課題を解決するための手段】
【００１２】
（１）上記のような課題を解決するため、本発明に係る施錠装置は、錠の施錠又は解錠の状態を示す錠開閉フラグを含む管理情報を記憶するキーメモリ部と、管理情報を送受信するキー送受信部とを備えたキーと、キー送受信部との間で管理情報を送受信する錠送受信部と、錠の開閉を行う錠ロック機構と、錠送受信部がキー送受信部から受信したキーメモリ部に記憶された錠開閉フラグが開状態の場合であって、錠ロック機構が施錠されていない場合に錠ロック機構に施錠可能状態となるよう指示する錠管理部とを備えた錠とからなる。
【００１３】
（２）また、（１）の場合、管理情報には、それぞれのキーに一意に割り当てられたキー固有ＩＤ番号を含んでもよく、錠ロック機構の施錠が行われた場合に、錠管理部が、キー固有ＩＤ番号を錠メモリ部に記憶させてもよい。
【００１４】
（３）また、（２）の場合、錠ロック機構の施錠が行われた場合に、錠管理部が、キーメモリ部に記憶されていた錠開閉フラグを閉状態に書き換えるよう指示してもよい。
【００１５】
（４）また、（２）又は（３）の場合、管理情報には、それぞれの錠に一意に割り当てられた錠番号を含み、錠の錠ロック機構の施錠が行われた場合に、錠管理部がキーメモリ部に当該錠の錠番号を書き込むよう指示してもよい。
【００１６】
（５）また、（２）から（４）の場合、錠管理部に、錠ロック機構が施錠された後に錠送受信部がキーメモリ部に格納されているキー固有ＩＤ番号を受信した場合に、錠送受信部が受信したキー固有ＩＤ番号と錠記憶部に記憶されたキー固有ＩＤ番号とを比較する比較手段と、比較手段によりキー固有番号が一致すると判断した場合に、錠ロック機構に、解錠可能状態となるよう指示する解施錠指示手段とを備えてもよい。
【００１７】
（６）また、（２）から（４）の場合、錠管理部に、錠ロック機構が施錠された後に錠送受信部がキーメモリ部に格納されているキー固有ＩＤ番号を受信した場合に、錠送受信部が受信したキー固有ＩＤ番号と錠記憶部に記憶されたキー固有ＩＤ番号とを比較する比較手段と、比較手段によりキー固有番号が一致すると判断した場合に、錠ロック機構に解錠可能状態となるよう指示する解施錠指示手段とを備え、解施錠指示手段により錠ロック機構が解錠可能状態となり、錠の解錠が行われた場合に、錠管理部がキーメモリ部に書き込まれた当該錠の錠番号を消去せずに記憶したままにしておくようにしてもよい。
【００１８】
（７）本発明に係るロッカーは、錠の施錠又は解錠の状態を示す錠開閉フラグを含む管理情報を送受信するキーとの通信によって施錠又は解錠状態が管理されるロッカーであって、管理情報を送受信する錠送受信部と、錠の開閉を行う錠ロック機構と、錠送受信部が受信した錠開閉フラグが開状態の場合であって、錠ロック機構が施錠されていない場合に錠ロック機構に施錠可能状態となるよう指示する錠管理部とを備える。
【００１９】
（８）また、（７）の場合、管理情報には、それぞれのキーに一意に割り当てられたキー固有ＩＤ番号を含み、錠管理部に、錠ロック機構の施錠が行われた場合に、キー固有ＩＤ番号を錠メモリ部に書き込む指示を発するメモリ指示手段を備えてもよい。
【００２０】
（９）また、（８）の場合、錠管理部に、錠ロック機構の施錠が行われた場合に、メモリ指示手段が、キーメモリ部に記憶されていた錠開閉フラグを閉状態に書き換える指示を発するようにしてもよい。
【００２１】
（１０）また、（８）又は（９）の場合、管理情報には、それぞれの錠に一意に割り当てられた錠番号を含み、錠の錠ロック機構の施錠が行われた場合に、メモリ指示手段がキーメモリ部に当該錠の錠番号を書き込む指示を発するようにしてもよい。
【００２２】
（１１）また、（８）から（１０）の場合、錠ロック機構が施錠された後に錠送受信部がキー固有ＩＤ番号を受信した場合に、錠送受信部が受信したキー固有ＩＤ番号と錠記憶部に記憶されたキー固有ＩＤ番号とを比較する比較手段と、比較手段によりキー固有番号が一致すると判断した場合に、錠ロック機構に、解錠可能状態となるよう指示する解施錠指示手段とを備えてもよい。
【００２３】
（１２）また、（１１）の場合、錠ロック機構が施錠された後に錠送受信部がキー固有ＩＤ番号を受信した場合に、錠送受信部が受信したキー固有ＩＤ番号と錠記憶部に記憶されたキー固有ＩＤ番号とを比較する比較手段と、比較手段によりキー固有番号が一致すると判断した場合に、錠ロック機構に、解錠可能状態となるよう指示する解施錠指示手段とを備え、解施錠指示手段により錠ロック機構が解錠可能状態となり、錠の解錠が行われた場合に、メモリ指示手段がキーメモリ部に書き込まれた錠番号を消去せずに記憶させたままにしておく指示を発するようにしてもよい。
【００２４】
（１３）本発明に係る錠管理方法は、錠と通信を行うキーと、キーとの通信結果に基づいて施錠又は解錠が行われる複数の錠とからなる施錠装置における錠管理方法であって、キーに記憶された錠開閉フラグを、キーから錠のうちの特定の錠に送信し、特定の錠が受信する施錠情報受信ステップと、施錠情報受信ステップにより特定の錠が受信した錠開閉フラグが「開」である場合に特定の錠が施錠可能か否かを判断する施錠判断ステップと、施錠判断ステップにより施錠可能であると判断された場合には、特定の錠を施錠可能状態にする施錠処理ステップと、施錠処理ステップにより特定の錠が施錠可能状態となり、その状態で、特定の錠が施錠された場合には、キーに記憶されている錠開閉フラグを「開」から「閉」に書き換える施錠時キー書換ステップとからなる。
【００２５】
（１４）また、（１３）の場合、施錠情報受信ステップは、錠がキー固有ID番号をも受信するものであり、さらに、施錠処理ステップにより特定の錠が施錠可能状態となり、その状態で、特定の錠が施錠された場合には、施錠情報受信ステップにより受信したキー固有ID番号を特定の錠に書き込む施錠時錠書換ステップを含んでもよい。
【００２６】
（１５）また、（１４）の場合、施錠時キー書換ステップは、さらに、キーに当該特定の錠の錠番号を書き込むステップを含んでもよい。
【００２７】
（１６）また、本発明に係る解錠方法は、（１４）又は（１５）に記載された錠管理方法によって施錠された施錠装置の錠を解錠する方法であって、キーに記憶されたキー固有ID番号及び錠開閉フラグを、キーから錠のうちの特定の錠に送信した場合に特定の錠が受信する解錠情報受信ステップと、解錠情報受信ステップにより、特定の錠が受信したキー固有ID番号と特定の錠に記憶されているキー固有ID番号とが一致しているかを判断する解錠判断ステップと、解錠判断ステップにより判断された結果に基づいて、キー固有ＩＤ番号が一致している場合には、特定の錠を解錠する解錠処理ステップと、解錠処理ステップにより特定の錠が解錠された場合には、キーに記憶されている錠開閉フラグを「閉」から「開」に書き換える解錠時キー書換ステップと、解錠処理ステップにより特定の錠が解錠された場合には、特定の錠に記憶されているキー固有ID番号を消去する解錠時錠書換ステップとを含む。
【００２８】
（１７）また、本発明に係る解錠方法は、（１５）に記載された錠管理方法によって施錠された施錠装置の錠を解錠する方法であって、キーに記憶されたキー固有ID番号及び錠開閉フラグを、キーから錠のうちの特定の錠に送信した場合に特定の錠が受信する解錠情報受信ステップと、解錠情報受信ステップにより、特定の錠が受信したキー固有ID番号と特定の錠に記憶されているキー固有ID番号とが一致しているかを判断する解錠判断ステップと、解錠判断ステップにより判断された結果に基づいて、キー固有ＩＤ番号が一致している場合には、特定の錠を解錠する解錠処理ステップと、解錠処理ステップにより特定の錠が解錠された場合には、キーに記憶されている錠開閉フラグを「閉」から「開」に書き換える解錠時キー書換ステップと、解錠処理ステップにより特定の錠が解錠された場合には、特定の錠に記憶されているキー固有ID番号を消去する解錠時錠書換ステップとを含み、解錠時キー書換ステップは、さらに、キーに書き込まれた当該特定の錠の錠番号を消去せずに、記憶させたままにしておくステップを含む。
【００２９】
（１８）本発明に係るプログラムは、（１３）から（１７）に示した方法をコンピュータに実行させる。
【発明の効果】
【００３０】
本発明の施錠装置、ロッカー、錠管理方法、解錠方法及び錠管理プログラムによれば、キーと通信を行って施錠又は解錠を行うロッカー等について、一元的に集中管理するシステムを用いることなく、各ロッカーの錠をスタンドアローンで管理することができる。
【発明を実施するための最良の形態】
【００３１】
以下、図面を参照して本発明の施錠装置の実施の形態を説明する。以下の説明においては本発明に係る施錠装置、錠管理方法、解錠方法及び錠管理プログラムをロッカーに適用した場合について説明するが、本発明に係る施錠装置は、ロッカーに限らず、下足箱等、荷物を一時的に預けて施錠を行うものに適用することができるのはもちろんである。
【００３２】
図１は、本発明に係る施錠装置の構成を示すブロック図である。図１には、本発明に係る施錠装置１０が示されており、キー７０と、例えば、ロッカーに用いられた場合の錠２０とを含み、キー７０と錠２０との間で管理情報の送受信が行われる。
【００３３】
キー７０は、ロッカーの錠の施錠又は解錠の状態を示す錠開閉フラグを含む管理情報を記憶するキーメモリ部８０と、管理情報を送受信するキー送受信部９０とを備えている。
【００３４】
キーメモリ部８０は、ロッカーの錠の施錠又は解錠の状態を示す錠開閉フラグを含む管理情報を記憶する。キーメモリ部８０に用いられるメモリは半導体メモリを使用するのが一般的であるが、情報を記憶することができる媒体であればよく、半導体メモリに何ら限定されない。なお、メモリに記憶されるべき管理情報の詳細については図６に示されており、かかる管理情報の詳細については後述する。
【００３５】
キー送受信部９０は、管理情報を送受信する。このキー送受信部９０は無線による送受信機が一般的であるが、管理情報の送受信が可能であれば無線送受信機に限定されるものではない。
【００３６】
一方、ロッカーの錠２０は、管理情報を記憶する錠メモリ部３０、キー送受信部９０との間で管理情報を送受信する錠送信部４０、ロッカーの錠の開閉を行う錠ロック機構６０、及び、錠送受信部４０がキー送受信部９０から受信したキーメモリ部８０に記憶された錠開閉フラグが開状態の場合であって、錠ロック機構が施錠されていない場合に錠ロック機構６０に施錠可能状態となるよう指示する錠管理部５０とを備えている。
【００３７】
ここで、ロッカーの錠送信部４０は、管理情報を記憶する錠メモリ部３０とキー送受信部９０との間で管理情報を送受信する。かかる錠送受信部４０もまたキー送受信部９０と同様、具体的態様については何ら限定されない。
【００３８】
また、ロッカーの錠ロック機構６０は、ロッカー２０の錠の開閉を行う。錠ロック機構６０は、機械的な施錠又は解錠を行うものではあるが、後述する錠管理部５０からの指示に従って施錠可能状態又は解錠可能状態が制御され、施錠可能状態の場合に機械的な施錠を受け入れ、解錠可能な状態の場合に機械的な解錠を受け入れるものである。
【００３９】
従って、本明細書及び特許請求の範囲にいう「キー」とは、上記の説明で明らかなようにロッカーの錠との間で通信を行い、錠ロック機構６０の施錠可能状態又は解錠可能状態を制御可能とするものであれば足り、機械的に扉を施錠したり解錠したりする装置としての機能を有しているか否かは本明細書におけるキーであることを左右しない。
【００４０】
かかる機械的な施錠又は解錠については、ロッカーの錠とキーとの通信の最中又は通信の終了後に、機械的に鍵を差し込みその鍵を回転させることに行われてもよいのはもちろんであるが、単にレバーを動かすことによって行われてもよい。また、暗証番号を入力することにより行われてもよい。
【００４１】
錠管理部５０は、錠メモリ部３０、錠送受信部４０、錠ロック機構６０と相互に接続されている。錠管理部５０は、錠送受信部４０が受信した管理情報を処理し、必要な管理情報を錠メモリ部３０に記憶させる。また、錠メモリ部３０が記憶している管理情報のうち、必要な管理情報を取り出して錠送受信部４０に送信するよう指示を出す。
【００４２】
さらに、錠管理部５０は、管理情報のうちキーメモリ部８０に記憶された錠開閉フラグが開状態の場合であって錠ロック機構６０が施錠されていないと判断した場合に、錠ロック機構６０に施錠可能状態となるよう指示する。錠ロック機構６０が施錠されているか否かについては、例えば、錠管理部５０が、錠ロック機構６０の錠の機械的なロックの状態をセンサー等で検知したり、錠ロック機構６０が施錠された場合にメモリ部５０に記憶させた電子信号の状態を検知することで判断することができる。
【００４３】
図２は、本発明に係る施錠装置の全体構成を示す図である。図２には、ロッカー番号「００１」、「００２」、「００３」、「００４」、「００５」、「００６」である６個のロッカーが備えられたロッカー群２５と、ロッカーの開閉可能状態の制御を行うキー７０が示されている。図２におけるロッカー番号は連続番号で示されているが連続番号であることには限定されないのはもちろんである。このロッカー番号はロッカーに備え付けた錠の錠番号と一致させておくことで管理が容易になる。以下、このロッカー番号については錠番号として説明する。
【００４４】
本発明における施錠装置１０は、図１に示したように基本的にキー７０とロッカーの錠２０との組み合わせで構成されるが、必ずしもキーとロッカーの錠とが一対一で対応する必要はなく、キーが一つあれば、複数のロッカーの錠のうち、任意のロッカーの錠について施錠し、その施錠されたロッカーを解錠することを可能とするものを含む。
【００４５】
図２においては、錠番号「００３」によって特定される特定のロッカーの錠２０と、キー７０と電波によって通信されている状態の模式図が描かれている。この通信によって、管理情報のうち図１におけるキーメモリ部８０に記憶された錠送受信部４０がキー送受信部９０から受信したキーメモリ部８０に記憶された錠開閉フラグが開状態の場合であって、錠ロック機構６０が施錠されていない場合に、錠ロック機構６０に施錠可能状態となるよう指示することになる。
【００４６】
この場合には、例えば錠番号「００２」のロッカーの錠が施錠されているとするならば、錠番号「００２」で特定されるロッカーの錠ロック機構６０へ施錠可能状態とするよう指示されることはない。もちろん、錠番号「００３」以外のロッカーについても同様である。
【００４７】
図３は、本発明に係る施錠装置に用いるキーを示した図である。図３（ａ）は本発明に用いられるキー７０の具体的な外観の一例を示す図である。図３（ｂ）は本発明に係る施錠装置に用いることが可能なＲＦ−ＩＤタグ７２の外観を示す図である。
【００４８】
本発明に用いられるキー７０の外観は任意であるが、例えば、図３（ａ）に示すように腕に巻き付けて使用できる腕時計型であってもよいし、紐を付けて首から提げるようなものであってもよいし、クリップを用いて上着のポケットで固定できるようなものであってもよい。
【００４９】
キー７０には、例えば、電波を送受信する機能を有するＲＦ−ＩＤタグを用いることができる。ＲＦ−ＩＤタグは、無線周波数の電波によって管理情報を表す信号を送受信できるタグである。
【００５０】
図３（ｂ）に示すＲＦ−ＩＤタグ７２は、例えば、テキサスインスツルメンツ株式会社製のＴＩ−ＲＦＩＤトランスポンダを用いることができる。同社製のＴＩ−ＲＦＩＤトランスポンダには、その使用形態や使用状況により、ガラス封入型、カード型、ディスク型等の様々な形状を有するものをいずれでも使用することが可能である。
【００５１】
図３（ｂ）には、ＲＦ−ＩＤタグ７２として、アンテナ７４とＩＣチップ７６を内部に含み、ガラス容器７８に封入されているガラス封入型のＲＦ−ＩＤトランスポンダを用いたものが示されている。
【００５２】
ＩＣチップ７６には、管理情報を記録するキーメモリ部３０として機能するメモリ領域（図示せず）、アンテナ７４を介して送受信を行う領域や管理情報の通信を行う領域も含まれる（図示せず）。
【００５３】
このようなトランスポンダを用いると、比較的環境の悪い状況においても長期間に亘って製品の劣化を抑えられると共に、小型であるので容易に他のパッケージに挿入して使用することができるので、例えば、図３（ａ）の外観図で示されるような、ロッカーの錠２０と通信を行うキー７０をより容易に実現することができる。
【００５４】
図４は、錠ロック機構６０の一例の動作説明図である。図４（ａ）には、ＲＦ−ＩＤタグ７２を内部に挿入させたキー７０と、錠ロック機構６０が図示されている。錠ロック機構６０には、錠ロックのつまみ６２が備えられており、図４（ｂ）に示すように、つまみ６２の凹部６４にキー７０の左端部が垂直に嵌りこむようになっている。このキー７０の右端部をつまみ６２の凹部６４に垂直にはめ込み、図４（ａ）に示すように図面左回り方向又は右回り方向に回転させることで施錠又は解錠を行うことができる。この際、錠ロック機構６０が解錠可能状態の場合に、つまみ６２を右に回転させると解錠が行われ、錠ロック機構６０が施錠可能な状態のときに、つまみ６２を左に回転することで施錠が行われる。
【００５５】
施錠が可能な状態と解錠が可能な状態との遷移は、当該ロッカー２０とキー７０との間の管理情報の通信の結果に基づいて行われる。
【００５６】
図５は、キー７０と通信するロッカーの錠２０を示すブロック図である。図５には特に錠管理部５０の詳細が示されている。図５には、管理部５０の内部の機能ブロックとして錠メモリ部３０とキーメモリ部８０に対し書き込み又は書き換えを指示するメモリ指示手段５１と、錠メモリ部３０とキー送受信部９０から錠送受信部４０が受信した管理情報を比較する比較手段５２と、比較手段５２の比較結果に基づいて錠の錠ロック機構６０が解錠状態になるよう指示を出す解施錠指示手段５４が図示されている。なお、図１と同符号を付した構成要素は図１と同じものであることを意味している。
【００５７】
ここで、図６を参照し、錠メモリ部３０とキーメモリ部８０に記憶される管理情報について説明する。図６（ａ）は、キーメモリ部３０のメモリ領域を示した図であり、図６（ｂ）は、錠メモリ部９０の領域を示した図である。ここで、各メモリ部の領域には、管理情報が記憶される。
【００５８】
このようなメモリ領域を有するキー７０については、例えば、一定の施設内に入場する際に、施設の受付にて、利用者を特定する情報をキー固有ID番号とを関連づけて保存した後に利用者に手渡し、ロッカーだけでなく、施設内のレストランやショップにおいて利用代金を決済する変わりにキー固有ID番号に基づいて利用者を特定する情報と関連づけるように利用することもできる。なお、その場合には、施設から退場してキーを返却する際に利用代金を精算をするようしてもよい。
【００５９】
図６（ａ）には、錠メモリ部３０のメモリ領域が示されている。錠メモリ部３０には、施錠する際に受信した、それぞれのキーに一意に割り当てられたキー固有ＩＤ番号と、それぞれのロッカーに一意に割り当てられた錠番号とを含む管理情報が記憶されるべきメモリ領域が示されている。
【００６０】
図６（ｂ）には、キーメモリ部８０のメモリ領域が示されている。キーメモリ部８０には、それぞれのキーに一意に割り当てられたキー固有ＩＤ番号、それぞれのロッカーに一意に割り当てられている錠番号、及び、いずれかの錠の開閉に当該キーが用いられたか否かの状態を示す錠開閉フラグを含む情報が記憶されるべきメモリ領域が示されている。
【００６１】
錠開閉フラグは、例えば、ある一つのロッカーの錠の施錠を行う場合には「開」の状態を意味する信号を、また、すでに施錠したロッカーの錠の解錠を行う場合には「閉」の状態を意味する信号をキーメモリ部８０に記憶するフラグである。
【００６２】
キー固有ＩＤ番号は、それぞれのキーに一意に割り当てられる。具体的には、上述したＴＩ−ＲＦＩＤは、それぞれの特有のＩＤが割り当てられており、同じＩＤは存在しない。
【００６３】
ロッカーの錠番号は、それぞれのロッカーに一意に割り当てられており、錠番号もロッカー番号と同一の番号が割り当てられている。具体的には、図２に示すようなロッカー群２５で示した各ロッカーに割り振られたロッカー番号「００１」「００２」「００３」「００４」「００５」「００６」は錠番号と一致する。
【００６４】
図５に戻り、本発明の施錠装置の施錠動作を説明する。今、例えば、キー７０のキーメモリ部３０には、錠開閉フラグとして、開状態を意味する管理情報である「０」のデータが記憶されているとする。この場合、「開状態」のフラグを特定のロッカーの錠送受信部４０が受信したときに、当該ロッカーの管理部５０内の解施錠指示手段５４によって、錠ロック機構６０の状態を検知して錠ロック機構６０に対して施錠可能状態となるよう指示がなされる。
【００６５】
そして、実際に錠ロック機構６０の施錠が行われた場合には、キーメモリ部８０に記憶されているキー固有ＩＤ番号がキー送受信部９０から錠送受信部４０に送信され、錠メモリ部３０に記憶される。これにより、キー固有ＩＤ番号を用いて解錠を行うことが可能となる。
【００６６】
また、実際に錠ロック機構６０の施錠が行われた場合には、錠ロック機構６０からその状態を検知した錠管理部５０のメモリ指示手段５１が、キーメモリ部８０に記憶されていた錠開閉フラグを「閉状態」を意味する管理情報である「１」のデータに書き換える指示をキー７０に対して送信するよう錠送受信部４０に指示する。これにより、あるキー７０を用いてロッカーの錠を施錠した場合には、キーメモリ部８０に閉状態を意味する管理情報である「１」のデータを記憶させることができ、閉状態のフラグを記憶しているキーを用いて他のロッカーを施錠することができなくするようにできる。
【００６７】
さらに、実際に錠ロック機構６０の施錠が行われた場合には、錠メモリ部３０に記憶されている錠番号が錠送受信部４０からキー送受信部９０に送信され、キーメモリ部８０に記憶される。
【００６８】
具体的な施錠動作は、施錠可能状態の場合に、例えば、鍵を差し込んでその鍵を回転させたり、単にレバーを動かしたり、暗証番号を入力したりすることで、機械的に錠を動作させることによって行われることになる。そして、ロッカーが実際に施錠された場合に、メモリ指示手段５１は、キーメモリ８０及び錠メモリ部３０の内容を新たな管理情報に書き換えるよう指示する。
【００６９】
次に、図５のブロック図に基づいて解錠動作の説明を行う。キー７０によって、ロッカーの錠の施錠が行われた場合を考える。この場合、比較手段５２が、錠送受信部４０が前記キーメモリ部に格納されているキー固有ＩＤ番号を受信したときに、錠送受信部４０が受信したキー固有ＩＤ番号と錠メモリ部３０に記憶されたキー固有ＩＤ番号とを比較する。比較手段５２によりキー固有番号が一致すると判断した場合に、解施錠指示手段５４が、錠ロック機構６０に、解錠可能状態となるよう指示することで、解錠動作が可能となる。
【００７０】
このようにして錠ロック機構６０の解錠が行われた場合に、メモリ指示手段５１が錠メモリ部３０に記憶されている固有ＩＤ番号を消去する指示を出すようにしてもよい。
【００７１】
また、キーメモリ部８０に書き込まれた錠番号を消去せずに記憶したままにしておくことにしてもよい。このように、錠番号をキーメモリ部８０に記憶しておくことにより、施設内で使用されたキー７０が施設に返却された後であっても、どのロッカーが使用されたかがわかる。
【００７２】
具体的な解錠動作は、解錠可能状態の場合に、例えば、鍵を差し込んでその鍵を回転させたり、単にレバーを動かしたり、暗証番号を入力したりすることで、機械的に錠を動作させることによって行われることになる。そして、ロッカーが実際に解錠された場合に、メモリ指示手段５１は、キーメモリ８０及び錠メモリ部３０の内容を新たな管理情報に書き換えるよう指示する。
【００７３】
図７は、本発明に係る錠管理方法のうち、施錠する方法及び解錠する方法を示したフローチャートである。図７（ａ）は、本発明に係る錠管理方法のうちの施錠ステップを図示したフローチャートである。施錠ステップは、施錠情報受信ステップ（Ｓ７１０）と、施錠判断ステップ（Ｓ７２０）と、施錠処理ステップ（Ｓ７２５）と、施錠時キー書換ステップ（Ｓ７３０）と、施錠時錠書換ステップ（Ｓ７４０）とからなる。
【００７４】
施錠情報受信ステップ（Ｓ７１０）は、キーに記憶された錠開閉フラグとキー固有ＩＤ番号とを、キーから錠のうちの特定の錠に送信し、特定の錠が受信する。
【００７５】
施錠判断ステップ（Ｓ７２０）は、施錠情報受信ステップ（Ｓ７１０）により特定の錠が受信した錠開閉フラグが「開」である場合に特定の錠が施錠可能か否かを判断する
【００７６】
施錠処理ステップ（Ｓ７２５）は、施錠判断ステップ（Ｓ７２０）により施錠可能であると判断された場合には、特定の錠を施錠可能状態にする。
【００７７】
施錠時キー書換ステップ（Ｓ７３０）は、施錠処理ステップ（Ｓ７２５）により特定の錠が施錠可能状態となり、その状態で、特定の錠が施錠された場合には、キーに記憶されている錠開閉フラグを「開」から「閉」に書き換える。
【００７８】
施錠時錠書換ステップ（Ｓ７４０）は、施錠処理ステップ（Ｓ７２５）により特定の錠が施錠可能状態となり、その状態で、特定の錠が施錠された場合には、施錠情報受信ステップ（Ｓ７１０）により受信した前記キー固有ID番号を前記特定の錠に書き込む。
【００７９】
図７（ｂ）は、本発明に係る錠管理方法によって施錠された施錠装置の解錠方法を図示したフローチャートである。解錠ステップは、解錠情報受信ステップ（Ｓ７５０）と、解錠判断ステップ（Ｓ７６０）と、解錠処理ステップ（Ｓ７６５）と、解錠時キー書換ステップ（Ｓ７７０）と、解錠時錠書換ステップ（Ｓ７８０）とからなる。
【００８０】
解錠情報受信ステップ（Ｓ７５０）は、キーに記憶されたキー固有ID番号及び錠開閉フラグを、キーから錠のうちの特定の錠に送信した場合に特定の錠が受信する。
【００８１】
解錠判断ステップ（Ｓ７６０）は、解錠情報受信ステップ（Ｓ７５０）により、特定の錠が受信したキー固有ID番号と特定の錠に記憶されているキー固有ID番号とが一致しているかを判断する。
【００８２】
解錠処理ステップ（Ｓ７６５）は、解錠判断ステップ（Ｓ７６０）により判断された結果に基づいて、キー固有ＩＤ番号が一致している場合には、特定の錠を解錠する。
【００８３】
解錠時キー書換ステップ（Ｓ７７０）は、解錠処理ステップ（Ｓ７６５）により特定の錠が解錠された場合には、キーに記憶されている錠開閉フラグを「閉」から「開」に書き換える。このとき、キーに書き込まれた当該特定の錠の錠番号を消去せずに、記憶させたままにしておくこともできる。
【００８４】
解錠時錠書換ステップ（Ｓ７８０）は、解錠処理ステップ（Ｓ７６５）により特定の錠が解錠された場合には、特定の錠に記憶されているキー固有ID番号を消去する。
【００８５】
図８は、本発明に係る錠管理方法のうちの施錠方法を錠とキーとに分けて図示したフローチャートである。図８には、ロッカーの錠２０の開閉を行うキー７０と、キー７０との通信結果に基づいて施錠又は解錠が行われる複数のロッカーとからなる施錠装置１０における錠管理方法の施錠のための方法がロッカーの錠側とキー側とに分けて図示されている。
【００８６】
図８は、キーに記憶されたキー固有ID番号及び錠開閉フラグを、キーからロッカーのうちの特定のロッカーの錠に送信した場合に特定のロッカーの錠が受信する施錠情報受信ステップ（Ｓ８１０）と、施錠情報受信ステップ（Ｓ８１０）により、特定のロッカーの錠が受信した錠開閉フラグが「開」である場合に、特定の錠が施錠可能か否かを判断する施錠判断ステップ（Ｓ８２０）と、施錠判断ステップ（Ｓ８２０）により判断された結果に基づいて、錠開閉フラグが「開」である場合には、特定のロッカーの錠を施錠する施錠処理ステップ（Ｓ８３０）と、施錠処理ステップ（Ｓ８３０）により特定のロッカーの錠が施錠された場合には、キーに記憶されている錠開閉フラグを「開」から「閉」に書き換え、かつ、キーに特定のロッカーの錠番号を書き込む施錠時キー書換ステップ（Ｓ８４０、Ｓ８７０）と、施錠処理ステップ（Ｓ８４０、Ｓ８７０）により特定のロッカーの錠が施錠された場合には、施錠情報受信ステップ（Ｓ８１０）により受信したキー固有ID番号を特定のロッカーの錠に書き込む施錠時錠書換ステップ（Ｓ８５０）とからなる施錠のための方法のフローチャートが図示されている。
【００８７】
まず、キー送受信部９０が、キーメモリ部８０に記憶されているキー固有ＩＤ番号と錠開閉フラグを錠送信部４０に送信する（Ｓ８６０）。
【００８８】
施錠情報受信ステップでは、キー７０に記憶されたキー固有ID番号及び錠開閉フラグを、キー７０のキー送受信部９０が特定のロッカーの錠２０に送信した場合に特定のロッカーの錠２０の錠メモリ部３０が受信する（Ｓ８１０）。
【００８９】
施錠判断ステップでは、施錠情報受信ステップ（Ｓ８１０）により特定のロッカーの錠２０が受信した錠開閉フラグが「開」であるか否かを判断し、錠ロック機構６０が施錠可能か否かを判断する（Ｓ８２０）。
【００９０】
施錠処理ステップでは、施錠判断ステップ（Ｓ８２０）により判断された結果に基づいて、錠開閉フラグが「開」である場合には、錠ロック機構６０が施錠可能状態となり、実際に施錠が行われる（Ｓ８３０）。
【００９１】
施錠時キー書換ステップでは、施錠処理ステップ（Ｓ８３０）により特定のロッカーの錠の施錠が行われた場合には、キー７０に記憶されている錠開閉フラグを「開」から「閉」に書き換えるよう指示を出し（Ｓ８４０）、キー７０は、キーメモリ部８０に記憶されている錠開閉フラグを「閉」に書き換え、かつ、当該特定のロッカーの錠の２０の錠番号を書き込む（Ｓ８７０）。
【００９２】
施錠時錠書換ステップでは、施錠処理ステップ（Ｓ８３０）により特定のロッカーの錠が施錠された場合には、施錠情報受信ステップ（Ｓ８１０）により受信したキー固有ID番号を特定のロッカーの錠２０の錠メモリ部３０に書き込む（Ｓ８５０）。
【００９３】
図９は、本発明に係る錠管理方法のうちの解錠方法を錠とキーとに分けて図示したフローチャートである。図９には、ロッカーの錠２０の開閉を行うキー７０と、キー７０との通信結果に基づいて施錠又は解錠が行われる複数のロッカーとからなる施錠装置１０における錠管理方法の解錠のための方法がロッカーの錠側とキー側とに分けて図示されている。
【００９４】
図９には、ロッカーの錠２０と通信を行うキー７０と、キー７０との通信結果に基づいて施錠又は解錠が行われる複数のロッカーの錠２０とからなる施錠装置における錠管理方法のうち、解錠方法が示されている。かかる解錠方法は、キー７０に記憶されたキー固有ID番号を、キー７０からロッカーのうちの特定のロッカーに送信した場合に特定のロッカーが受信する解錠情報受信ステップ（Ｓ９１０）と、解錠情報受信ステップ（Ｓ９１０）により、特定のロッカーが受信したキー固有ID番号と特定のロッカーに記憶されているキー固有ID番号とが一致しているかを判断する解錠判断ステップ（Ｓ９２０）と、解錠判断ステップ（Ｓ９２０）により判断された結果に基づいて、キー固有ＩＤ番号が一致している場合には、特定のロッカーを解錠する解錠処理ステップ（Ｓ９３０）と、解錠処理ステップ（Ｓ９３０）により特定のロッカーが解錠された場合には、キー７０の錠開閉フラグを記憶するメモリ領域に「開」を書き込む解錠キー７０処理ステップ（Ｓ９４０、Ｓ９７０）と、解錠処理ステップ（Ｓ９４０、Ｓ９７０）により特定のロッカーが解錠された場合には、特定のロッカーの錠に記憶されているキー固有ID番号を消去する解錠時錠書換ステップ（Ｓ９５０）とからなる解錠のための方法のフローチャートが図示されている。
【００９５】
まず、キー送受信部９０が、キーメモリ部８０に記憶されているキー固有ＩＤ番号を錠送信部４０に送信する（Ｓ９６０）。
【００９６】
解錠情報受信ステップでは、キー７０に記憶されたキー固有ID番号を、キー７０のキー送受信部９０が特定のロッカーの錠２０に送信した場合に特定のロッカーの錠２０の錠メモリ部３０が受信する（Ｓ９１０）。
【００９７】
解錠判断ステップでは、解錠情報受信ステップ（Ｓ９１０）により、特定のロッカーの錠２０が受信したキー固有ID番号と特定のロッカーの錠２０に記憶されているキー固有ID番号とが一致しているかを判断する（Ｓ９２０）。
【００９８】
解錠処理ステップでは、解錠判断ステップ（Ｓ９２０）により、特定のロッカーの錠２０が受信したキー固有ID番号と特定のロッカーの錠２０に記憶されているキー固有ID番号とが一致している場合には、錠ロック機構６０が解錠可能状態となり、実際に解錠が行われる（Ｓ９３０）。
【００９９】
解錠時キー書換ステップは、解錠処理ステップ（Ｓ９３０）により特定のロッカーの錠２０が解錠された場合には、キー７０の錠開閉フラグを記憶するキーメモリ部８０の領域に「開」を書き込むよう指示を出し（Ｓ９４０）、キー７０は、錠開閉フラグを記憶するキーメモリ部８０のメモリ領域に「開」を書き込む（Ｓ９７０）。
【０１００】
解錠時錠書換ステップでは、解錠処理ステップ（Ｓ９３０）により特定のロッカーの錠２０が解錠された場合には、特定のロッカーの錠２０に記憶されているキー固有ID番号を消去する（Ｓ９５０）。
【０１０１】
なお、解錠時キー書換ステップ（Ｓ９４０、Ｓ９７０）では、キー７０のキーメモリ部８０に記憶された錠番号は消去せずに、記憶させたままにしておいてもよい。
【０１０２】
以上のように本発明においては、フラグの一致を施錠又は解錠の条件としているため、小容量のデータのやりとりでセキュリティを確保することができる。
【０１０３】
また、  キー７０のキーメモリ部８０に記憶された錠番号を消去しないことにより、例えば、当該錠番号に基づいて種々の統計に用いることが可能となる。例えば、ロッカーに忘れ物があった場合には、キーメモリ部８０に記憶されている錠番号によって、当該キーを最後に使用した者が使用したロッカーがわかり、例えばロッカーに忘れ物をした場合に速やかに対応することができる。
【０１０４】
以上、本発明の施錠装置、ロッカー、錠管理方法及び錠管理プログラムについて説明したが、ロッカーの錠と通信を行うキーによりスタンドアローンで管理される錠を通信で結び、錠番号、キー固有ＩＤ番号及び施設利用状況の情報を、錠から管理サーバに転送することにより、利用者の顧客情報や過去の利用状況と併せてデータベース化することもできる。それにより、錠の一元的な集中管理及び利用者の施設利用状況の把握が可能になり、また、施設利用者の現在の利用人数及び利用状況を正確に把握し、確実に精算処理を行うことが可能になる。
【産業上の利用可能性】
【０１０５】
本発明に係る施錠装置、ロッカー、錠管理方法及び錠管理プログラムは、錠とキーとの通信により施錠又は解錠を管理できるので、スタンドアローンで用いる錠として利用が見込まれる。
【図面の簡単な説明】
【０１０６】
【図１】本発明に係る施錠装置の構成を示すブロック図である。
【図２】本発明に係る施錠装置の全体構成を示す図である。
【図３】本発明に係る施錠装置に用いるキーを示した図である。
【図４】錠ロック機構の一例の動作説明図である。
【図５】キーと通信するロッカーの錠を示すブロック図である。
【図６】キーメモリ部及び錠メモリ部のメモリ領域を示した図である。
【図７】本発明に係る錠管理方法のうち、施錠する方法及び解錠する方法を示したフローチャートである。
【図８】本発明に係る錠管理方法のうちの施錠方法を図示したフローチャートである。
【図９】本発明に係る錠管理方法のうちの解錠方法を図示したフローチャートである。
【符号の説明】
【０１０７】
１０  施錠装置
２０  錠
２５  ロッカー群
３０  錠メモリ部
４０  錠送受信部
５０  錠管理部
５１  メモリ指示手段
５２  比較手段
５４  解施錠指示手段
６０  錠ロック機構
６２  つまみ
６４  凹部
７０  キー
７２  ＲＦ−ＩＤタグ
７４  アンテナ
７６  ＩＣチップ
７８  ガラス容器
８０  キーメモリ部
９０  キー送受信部
【図１】
2007226749.tif 000003
【図２】
2007226749.tif 000004
【図３】
2007226749.tif 000005
【図４】
2007226749.tif 000006
【図５】
2007226749.tif 000007
【図６】
2007226749.tif 000008
【図７】
2007226749.tif 000009
【図８】
2007226749.tif 000010
【図９】
2007226749.tif 000011